(57)【要約】【課題】着用体に取り付けられる胸部プロテクタにおいて、保護性能を確保しつつ、着用体及び胸部プロテクタの前部をはだけさせて容易に涼を取れるようにする。【解決手段】身体着用体の裏面側に着脱可能に取り付けられる胸部プロテクタ３において、胸部プロテクタ３は、左右側シェル３６Ｌ、３６Ｒよりなり、左右側シェル３６Ｌ、３６Ｒは、分離可能に嵌合される。【選択図】図５
2010053463.tif 000002
【特許請求の範囲】
【請求項１】
身体着用体の裏面側に着脱可能に取り付けられる胸部プロテクタにおいて、前記胸部プロテクタは、左右部材よりなり、当該左右部材は、分離可能に嵌合される嵌合部を相互に有することを特徴とする胸部プロテクタ。
【請求項２】
左右各部材の嵌合部には、相互に前方からの押圧に対抗する制止部を有することを特徴とする請求項１記載の胸部プロテクタ。
【請求項３】
前記左右嵌合部は、複数の突出部よりなり、左右の突出部が交互に配列されて嵌合されることを特徴とする請求項１または２記載の胸部プロテクタ。
【請求項４】
前記左右の突出部は、相互に相手側の前面側に延び、該前面側の凹部に係合する突起を有することを特徴とする請求項３記載の胸部プロテクタ。
【請求項５】
前記左右嵌合部は、前後に重なり合う左右いずれか一側の外側突出部および他側の内側突出部よりなり、外側突出部の基部に内側突出部の内側に延在する延在部を有することを特徴とする請求項１または２記載の胸部プロテクタ。
【発明の詳細な説明】
【技術分野】
【０００１】
本発明は、身体着用体に取り付けられる胸部プロテクタに関する。
【背景技術】
【０００２】
従来、着用者の上半身に着用されるチョッキ型着用体に、着用者の胸部及び上腹部を覆う一枚の前側シェル（胸部プロテクタ）を取り付けて構成したサポーターが知られている（例えば、特許文献１参照）。
【特許文献１】特開２００２−３５００９６号公報
【発明の開示】
【発明が解決しようとする課題】
【０００３】
上述のサポーターにおいては、着用者の胸部及び上腹部を一枚の上記前側シェルにより覆うため、保護性能に優れていた。ところで、着用者は、例えば休憩時等の際に、上記チョッキ型着用体の前部を開いてはだけさせて涼を取りたい場合があるが、上記のサポーターでは、着用者の胸部及び上腹部を一枚の前側シェルが覆っていたため、前部を開くことができず、涼を取りにくかった。
【０００４】
そこで、本発明は、着用体に取り付けられる胸部プロテクタにおいて、保護性能を確保しつつ、着用体及び胸部プロテクタの前部をはだけさせて容易に涼を取れるようにすることを目的とする。
【課題を解決するための手段】
【０００５】
上述課題を解決するため、本発明は、身体着用体の裏面側に着脱可能に取り付けられる胸部プロテクタにおいて、前記胸部プロテクタは、左右部材よりなり、当該左右部材は、分離可能に嵌合される嵌合部を相互に有することを特徴とする胸部プロテクタを提供する。
この構成によれば、胸部プロテクタを保護部材として使用する際には、一枚の胸部プロテクタとして胸部の広い範囲を覆うことができ、胸部プロテクタを分離させたい場合には、左部材と右部材との嵌合を解除するだけで胸部プロテクタを分離できる。これにより、着用者は、胸部プロテクタにより胸部の広い範囲を覆い、高い保護性能を確保できるとともに、前部をはだけさせたい場合には、胸部プロテクタを分離し、着用体及び胸部プロテクタの前部をはだけさせて容易に涼を取ることができる。
【０００６】
また、上記構成において、左右各部材の嵌合部には、相互に前方からの押圧に対抗する制止部を有する構成としても良い。
この構成によれば、左部材及び右部材の各々が備える制止部により、胸部プロテクタの前方からの押圧に対抗できる。このため、胸部プロテクタを分割できる構造とした場合においても前方からの押圧を受け止めることができ、高い保護性能を得られる。
【０００７】
また、前記左右嵌合部は、複数の突出部よりなり、左右の突出部が交互に配列されて嵌合されても良い。
この場合、左部材と右部材とは、複数の突出部どうしが交互に並ぶように嵌合するため、複数の突出部に応力を分散できるとともに左右部材の嵌合部にかかる応力を均一化でき、前方からの押圧に対して必要な剛性及び強度を確保できる。
【０００８】
また、前記左右の突出部は、相手側の前面側に延び、該前面側の凹部に係合する突起を有しても良い。
この場合、胸部プロテクタの前方からの押圧に対し、左部材及び右部材の各々における相手側の前面に延びる突出部が、左部材及び右部材の前面を互いに支持するため、前方からの押圧を受け止めることができる。一方、胸部プロテクタの背面からの押圧に対しては、突出部は左部材及び右部材の前面を互いに支持しないため、胸部プロテクタを背面から押圧することにより嵌合を解除し、容易に涼を取ることができる。また、突出部に形成された突起が、相手側の前面側に形成された凹部に係合するため、胸部プロテクタを左右方向に分離する力に抗することができる。これにより、意図せずに左右部材の嵌合が解除されて胸部プロテクタが左右方向に分離することを防止できる。
【０００９】
さらに、前記左右嵌合部は、前後に重なり合う左右いずれか一側の外側突出部および他側の内側突出部よりなり、外側突出部の基部に内側突出部の内側に延在する延在部を有しても良い。
この場合、胸部プロテクタの前方からの押圧に対し、外側突出部が内側突出部の前面側を支持し、内側突出部が外側突出部の延在部を支持し、外側突出部と内側突出部とが互いに支持し合うため、前方からの押圧を受け止めることができる。一方、胸部プロテクタの背面からの押圧に対しては、外側突出部は内側突出部の前面側から外れ、内側突出部は延在部から外れるため、胸部プロテクタを背面から押圧することにより嵌合を解除し、容易に涼を取ることができる。
【発明の効果】
【００１０】
本発明に係る胸部プロテクタでは、着用者は、胸部プロテクタにより胸部の広い範囲を覆い、高い保護性能を確保できるとともに、前部をはだけさせたい場合には、胸部プロテクタを分離し、着用体及び胸部プロテクタの前部をはだけさせて容易に涼を取ることができる。
また、胸部プロテクタを分割できる構造とした場合においても、制止部により、前方からの押圧を受け止めることができ、高い保護性能を得られる。
また、複数の突出部に応力を分散できるとともに左右部材の嵌合部にかかる応力を均一化でき、前方からの押圧に対して必要な剛性及び強度を確保できる。
【００１１】
さらに、相手側の前面に延びる突出部が、左部材及び右部材の前面を互いに支持するため、前方からの押圧を受け止めることができる。一方、背面からの押圧に対しては、突出部は左部材及び右部材の前面を互いに支持しないため、胸部プロテクタを背面から押圧することにより嵌合を解除し、容易に涼を取ることができる。また、突出部に形成された突起が、相手側の凹部に係合するため、胸部プロテクタを左右方向に分離する力に抗することができ、意図せずに左右部材の嵌合が解除されて胸部プロテクタが左右方向に分離することを防止できる。
また、外側突出部が内側突出部の前面側を支持し、内側突出部が外側突出部の延在部を支持し、外側突出部と内側突出部とが互いに支持し合うため、前方からの押圧を受け止めることができる。一方、背面からの押圧に対しては、外側突出部は内側突出部の前面側から外れ、内側突出部は延在部から外れるため、胸部プロテクタを背面から押圧することにより嵌合を解除し、容易に涼を取ることができる。
【発明を実施するための最良の形態】
【００１２】
以下、本発明の実施の形態を添付の図面を参照しながら説明する。本明細書で上下、前後、左右は、着用者から見た上下、前後、左右を基準にしたものとする。
［第１の実施の形態］
図１は、本発明の第１の実施の形態に係る保護用身体着用体（以下、単に保護用着用体という。）を着用状態で示す斜視図である。
保護用着用体１は、着用者の上半身を保護するために用いられ、本実施の形態では、自動二輪車の運転者の上半身に着用されている。
保護用着用体１は、チョッキ型の着用体２を有し、チョッキ型の着用体２に、着用者の前身側を覆う胸部プロテクタ３、着用者の後身側を覆う背面プロテクタ４、着用者のベルト２０に巻き掛けられるベルトホルダ５、及び、着用者の腰部に巻き掛けられる調整ベルト６を備えて構成される。
【００１３】
着用体２は、着用者の胸部側に接する前身頃７と着用者の背中側に接する後身頃８とを、着用者の肩部近傍の連結部９で連結し、連結部９の中央に着用者の首が通る襟部１０を設けてチョッキ型に構成されている。また、前身頃７の中央には、襟部１０の下部から前身頃７の下部まで連続して前身頃７を左右に分割する開閉部１１が形成され、前身頃７は、左側部分７Ｌと右側部分７Ｒとに分割されている。開閉部１１には、左側部分７Ｌと右側部分７Ｒとを開閉自在に連結するスライドファスナー１２が設けられている。
着用体２は、通気性を有するメッシュ状の生地２ａにより構成されている。そして、前身頃７、後身頃８、開閉部１１、及び、襟部１０の縁部には、全周に亘って縁帯１３が設けられている。縁帯１３は、生地２ａの表裏に連続して接するように二つ折りされて縁部に縫着されている。
【００１４】
ベルトホルダ５は、帯状に形成され、左側部分７Ｌ及び右側部分７Ｒにそれぞれ設けられている。ベルトホルダ５の一端は、左側部分７Ｌ及び右側部分７Ｒの下部に設けられ、その他端は移動自在な自由端となっている。これらベルトホルダ５の前面側には、止着機能を有する面ファスナー１４が設けられている。着用者は、面ファスナー１４を着用者のベルト２０に巻きかけて折り返し、その他端側をベルトホルダ５の長手方向の任意の位置に着脱可能に連結できる。これにより、着用体２は、その上下の位置を着用者が調整自在なように構成されている。
【００１５】
また、帯状の調整ベルト６は、後身頃８の下部における幅方向の両端にそれぞれ設けられ、これに対応して、前身頃７の幅方向の両端には、調整ベルト６と連結可能な止めベルト１５がそれぞれ設けられている。調整ベルト６の端には、止めベルト１５と連結されるバックル１６が設けられており、バックル１６は、調整ベルト６の長手方向における位置を調整自在に構成されている。これにより、着用者は、着用体２の着用状態を着用者の胴回りに合わせて調整できる。
【００１６】
上記背面プロテクタ４は、後身頃８の幅方向に延在する複数の板材４Ａに分割され、各板材４Ａは、後身頃８において着用者と後身頃８との間、すなわち、後身頃８の裏面側にホック４Ｂを介して取り付けられる。
【００１７】
上記胸部プロテクタ３は、前身頃７において着用者と前身頃７との間、すなわち、前身頃７の裏面側に取り付けられる。
図２は、胸部プロテクタ３を前面側から見た斜視図である。図３は、胸部プロテクタ３を後面側から見た斜視図である。胸部プロテクタ３は、着用者の胸部及び上腹部を覆う形状を有する保護部材であり、その上部３１により胸部を覆い、その下部３２により上腹部を覆うように構成されている。図１〜図３に示すように、胸部プロテクタ３の下部３２には、着用者の脇腹まで回り込むように上部３１よりも幅広の脇部３３が形成され、着用時において着用者の脇腹まで覆うことができる。また、胸部プロテクタ３は、その前面側が凸状の曲面となるように湾曲して形成され、着用者の胸部及び上腹部にフィットし易い形状に形成されている。
【００１８】
胸部プロテクタ３は、図２及び図３に示すように、幅方向の中央で左右に分割された左側シェル（左部材）３６Ｌと右側シェル（右部材）３６Ｒとを備えて構成される。左右側シェル３６Ｌ、３６Ｒは、共に硬質の合成樹脂、例えば、ポリプロピレン樹脂を成型材料として中空状にブロー成型法等により成型されている。相互の結合部には、左嵌合部３７Ｌと右嵌合部３７Ｒとを備え、左右側シェル３６Ｌ、３６Ｒは、結合及び分離が可能に構成されている。左右側シェル３６Ｌ、３６Ｒの分割位置は、着用体２の開閉部１１に重なっており、着用者の胸部における左右の略中央で分割される。
【００１９】
左右側シェル３６Ｌ、３６Ｒの各々の上端、下端及び脇部３３には、雌ホック３８が複数固定され、各雌ホック３８は、着用体２の雄ホック１７（図１）と係合する。上記雌ホック３８は、雄ホック１７と対応した位置に設けられ、左右側シェル３６Ｌ、３６Ｒの各々の上端及び下端では、２列に形成され、脇部３３では、各１個が形成されている。そして、左右側シェル３６Ｌ、３６Ｒは、雄ホック１７と雌ホック３８とが係合されることで、着用体２の裏面側に取り付けられる。左側シェル３６Ｌは左側部分７Ｌに取り付けられ、右側シェル３６Ｒは右側部分７Ｒに取り付けられる。また、着用者は、左右側シェル３６Ｌ、３６Ｒを取り付ける位置を、上下方向に３個並んだ雄ホック１７の各位置から選択することができ、胸部プロテクタ３の上下方向の取り付け位置を調整できる。さらに、雄ホック１７は、雌ホック３８に押し込むだけで係合でき、この係合を解除する際は雄ホック１７を雌ホック３８から引っ張るようにして解除できる。このため、左右側シェル３６Ｌ、３６Ｒを着用体２に容易に着脱できる。また、雄ホック１７は、メッシュ状の生地２ａに縫着された基布１８を介して取り付けられており、取り付け強度が確保されている。
【００２０】
さらに、胸部プロテクタ３には、上部３１から下部３２にかけて、胸部プロテクタ３の幅方向に延びる長孔状の通気孔３４が、横並びに、しかも上下に多列に複数形成され、涼がとれるようになっている。また、通気孔３４は、脇部３３にも形成されている。この通気孔３４は、胸部プロテクタ３を表面側から見たときに、長孔状であり、その裏面側から見たときには、通気孔３４の中央側の端部が、長手方向に、胸部プロテクタ３の表面側から裏面側にかけてテーパ状に徐々に孔の長手方向の大きさを広げるように形成されている。この構成により、広い範囲に亘って涼をとることができる。
【００２１】
図４は、図２において左側シェル３６ＬをＡ−Ａ線で切断した断面図である。
雌ホック３８は、胸部プロテクタ３の前面側及び後面側の両側から一段窪んで形成された座面３９を有し、座面３９には、雄ホック１７が係合する孔４０が形成されている。また、左嵌合部３７Ｌ及び雌ホック３８の近傍は、中空に形成されている。胸部プロテクタ３は、このように全体的に中空に形成されており、重量の増加を抑えながら外部の力に対し適切な剛性を確保しかつ、適度に変形可能であるため、外部の力を効果的に受け止めることができる。
【００２２】
左右嵌合部３７Ｌ、３７Ｒは、図５に示すように、上下方向に交互に並んだ突出部４１Ｌ、４１Ｒと、相手側の突出部を受ける受け部（制止部）４２Ｌ、４２Ｒとを備えて構成される。突出部４１Ｌ、４１Ｒは、左右側シェル３６Ｌ、３６Ｒを嵌合させた状態において交互に噛み合うように配列されており、左右嵌合部３７Ｌ、３７Ｒの前面側は、突出部４１Ｌ、４１Ｒによってほぼ隙間無く埋められている。
さらに、突出部４１Ｌ、４１Ｒの先端と受け部４２の端との間には、距離Ｘで示される遊びが設けられ、隣接する突出部４１Ｌ、４１Ｒ間には、距離Ｙで示される遊びが設けられ、左右側シェル３６Ｌ、３６Ｒを容易に嵌合させることができる。ここで、距離Ｙは、距離Ｘの２倍程度の大きさに設定されている。
【００２３】
左右嵌合部３７Ｌ、３７Ｒは、図６に示すように、左右側シェル３６Ｌ、３６Ｒの分割位置に沿って形成され、互いに相手側の前面に延びる突出部４１Ｌ、４１Ｒを有している。すなわち、左側シェル３６Ｌの突出部４１Ｌは、右嵌合部３７Ｒの係止面に形成された受け部４２Ｒへ延び、一方、右側シェル３６Ｒの突出部４１Ｒは、左嵌合部３７Ｌの係止面に形成された受け部４２Ｌへ延びている。
また、突出部４１Ｌ、４１Ｒは、それぞれの相手側に延びるに連れて先細りに正面視で台形状に形成され、受け部４２Ｌ、４２Ｒは、この先細りの形状に対応して突出部４１Ｌ、４１Ｒを係止可能な形状に形成されている。
【００２４】
突出部４１Ｌ、４１Ｒは、左右側シェル３６Ｌ、３６Ｒの表面上から一段突出している。相手側に延びる突出部４１Ｌ、４１Ｒの先端には突起４４が形成され、突起４４は、受け部４２Ｌ、４２Ｒにおける各々の係止面の奥に形成された凹部４３に係合自在である。この凹部４３は、上下方向に複数並ぶ受け部４２Ｌ、４２Ｒにおいて、突出部４１Ｌ、４１Ｒの基端部の近傍で上下に延在する長穴状に形成されている。
【００２５】
図７は、図５において左右側シェル３６Ｌ、３６ＲをＢ−Ｂ線で切断した断面図である。
左右嵌合部３７Ｌ、３７Ｒが嵌合した状態では、左右側シェル３６Ｌ、３６Ｒがそれぞれ有する突出部４１Ｌ、４１Ｒは、対応する受け部４２Ｌ、４２Ｒに嵌合するとともに、各突起４４が各凹部４３に係合している。このように、突起４４が凹部４３に係合しているため、左右側シェル３６Ｌ、３６Ｒを左右方向に分離しようとする力に抗することができ、胸部プロテクタ３が意図せず分離されることを防止できる。
受け部４２Ｒの先端は先細りの曲面形状に形成され、この曲面形状が嵌合する突出部４１Ｌの内側面は、この曲面形状に合わせて曲面に形成されている。また、突出部４１Ｌ及び受け部４２Ｒは、中空部５０を有している。突出部４１Ｌの中空部５０は、左側シェル３６Ｌの中空部５１と連通しており、突起４４まで延在している。これにより、突出部４１Ｌの適切な剛性を確保し、軽量化を図っている。
なお、図７では、受け部４２Ｒに突出部４１Ｌが嵌合する断面を示しているが、受け部４２Ｌに突出部４１Ｒが嵌合する断面においては、胸部プロテクタ３の幅方向の中心位置を基準にして図５におけるＢ−Ｂ線の断面と対称に構成されている。
【００２６】
次に、胸部プロテクタ３の着用方法について説明する。
着用方法の一例として、まず、着用者は、分離した状態の左側シェル３６Ｌ及び右側シェル３６Ｒをそれぞれ着用体２に取り付け、スライドファスナー１２を開き、前身頃７と後身頃８との間に腕を通すことで、着用体２を羽織ることができる。その後、左側シェル３６Ｌと右側シェル３６Ｒとを嵌合させ、スライドファスナー１２を閉じ、ベルトホルダ５及び調整ベルト６により固定することで、胸部プロテクタ３が取り付けられた着用体２を適切に着用できる。
【００２７】
すなわち、着用者の胸部及び脇腹を含む上腹部の広範囲を一枚の胸部プロテクタ３により覆う構成の保護用着用体１において、胸部プロテクタ３が左右に分離可能であるため、開閉部１１を開いて保護用着用体１を羽織ることができ、容易に保護用着用体１を着用することが可能である。このため、脇腹までを覆う湾曲した形状の胸部プロテクタ３であっても容易に着用できる。また、着用者が胸部プロテクタ３を取り外したい場合には、スライドファスナー１２を開いた後、胸部プロテクタ３を左右に分離し、保護用着用体１を脱ぐこと無く開閉部１１から胸部プロテクタ３を簡単に取り外すことができる。
さらに、他の着用方法として、着用者は、胸部プロテクタ３が取り付けられスライドファスナー１２が閉じた状態の着用体２を、被るようにして羽織ることができる。次いで、ベルトホルダ５及び調整ベルト６により固定することで、着用者は、胸部プロテクタ３が取り付けられた着用体２を適切に着用できる。
【００２８】
そして、保護用着用体１の着用者が、例えば、休憩時等に保護用着用体１の前部をはだけさせて涼を取りたい場合には、スライドファスナー１２を開くとともに、胸部プロテクタ３を左側シェル３６Ｌと右側シェル３６Ｒとに分離させることで前部を容易にはだけさせることができるため、容易に涼を取ることができる。
【００２９】
ここで、胸部プロテクタ３に外部からの力が働いた場合における胸部プロテクタ３の機能について説明する。
胸部プロテクタ３が着用体２を介して着用者に着用された状態において、図７に矢印Ｆで示すように胸部プロテクタ３の前方から力が働いた場合、胸部プロテクタ３には、左右嵌合部３７Ｌ、３７Ｒを中心として胸部プロテクタ３の左右端を前方方向に折り曲げようとする力が作用する。この場合、突出部４１Ｌが受け部４２Ｒに当接するとともに、突出部４１Ｒが受け部４２Ｌに当接し、左右側シェル３６Ｌ、３６Ｒが互いに支持し合うため、胸部プロテクタ３は前方からの力に対して対抗することができる。すなわち、突出部４１Ｌ、４１Ｒを受ける受け部４２Ｌ、４２Ｒは相互に前方からの押圧に対抗する制止部として機能している。これにより、胸部プロテクタ３は、左右嵌合部３７Ｌ、３７Ｒで左右に分離可能であるとともに、前方からの押圧に対抗可能な高い保護性能が得られる構成を実現している。また、胸部プロテクタ３は、左右に分離可能でありながら、左右嵌合部３７Ｌ、３７Ｒにおいて切れ目無く連結されるため、広い範囲を保護でき、保護性能が高い。
【００３０】
さらに、図７に矢印Ｇで示すように胸部プロテクタ３の後方から力が働いた場合、胸部プロテクタ３には、左右嵌合部３７Ｌ、３７Ｒを中心として胸部プロテクタ３の左右端を後方向に折り曲げようとする力が作用する。この場合、突出部４１Ｌ、４１Ｒは、相手側の受け部４２Ｌ、４２Ｒを支持せず、受け部４２Ｌ、４２Ｒから離れていくこととなる。これにより、左右側シェル３６Ｌ、３６Ｒの嵌合は解除され、胸部プロテクタ３を左右に分離できる。従って、着用者が胸部プロテクタ３を分離したい場合には、胸部プロテクタ３を後方向に折り曲げれば良い。
【００３１】
以上説明したように、本発明を適用した第１の実施の形態によれば、胸部プロテクタ３を保護部材として使用する際には、一枚の胸部プロテクタ３として胸部及び上腹部の広い範囲を覆うことができ、胸部プロテクタ３を分離させたい場合には、左側シェル３６Ｌと右側シェル３６Ｒとの嵌合を解除するだけで分離できる。これにより、着用者は、胸部プロテクタ３により胸部及び上腹部の広い範囲を覆い、高い保護性能を確保できるとともに、前部をはだけさせたい場合には、胸部プロテクタ３を分離し、着用体２及び胸部プロテクタ３の前部をはだけさせて容易に涼を取ることができる。
【００３２】
また、左側シェル３６Ｌ及び右側シェル３６Ｒの各々が備える受け部（制止部）４２Ｌ、４２Ｒにより、胸部プロテクタ３の前方からの押圧に対抗できる。このため、胸部プロテクタ３を分割できる構造とした場合においても前方からの押圧を受け止めることができ、高い保護性能を得られる。
また、左側シェル３６Ｌと右側シェル３６Ｒとは、複数の突出部４１Ｌ、４１Ｒどうしが交互に並ぶように嵌合するため、複数の突出部４１Ｌ、４１Ｒに応力を分散できるとともに左右嵌合部３７Ｌ、３７Ｒにかかる応力を均一化でき、前方からの押圧に対して必要な剛性及び強度を確保できる。
【００３３】
さらに、胸部プロテクタ３の前方からの押圧に対し、相手側の受け部４２Ｌ、４２Ｒに延びる突出部４１Ｌ、４１Ｒが、受け部４２Ｌ、４２Ｒを互いに支持するため、前方からの押圧を受け止めることができる。一方、胸部プロテクタ３の背面からの押圧に対しては、突出部４１Ｌ、４１Ｒが受け部４２Ｌ、４２Ｒを互いに支持しないため、胸部プロテクタ３を背面から押圧することにより嵌合を解除し、着用体２及び胸部プロテクタ３の前部をはだけさせて容易に涼を取ることができる。また、突出部４１Ｌ、４１Ｒに形成された突起４４が、相手側の受け部４２Ｌ、４２Ｒに形成された凹部４３に係合するため、胸部プロテクタ３を左右方向に分離する力に抗することができる。これにより、意図せずに左右側シェル３６Ｌ、３６Ｒの嵌合が解除されて胸部プロテクタ３が左右方向に分離することを防止できる。
【００３４】
なお、上記第１の実施の形態は本発明を適用した一態様を示すものであって、本発明は上記実施の形態に限定されない。
例えば、上記第１の実施の形態では、着用体２は、チョッキ型であるものとして説明したが、本発明はこれに限定されるものではなく、例えば、長袖や半袖のいわゆるジャケット型であっても良い。この場合、前部の開閉部を閉じた状態で被るようにして着用することが困難なジャケット型の着用体において、開閉部を開くとともに胸部プロテクタ３を分離し、左右の袖に腕を通すことで、胸部プロテクタ３が取り付けられた着用体を容易に着用できる。
また、上記第１の実施の形態では、胸部プロテクタ３は、着用者の胸部及び脇腹を含む上腹部を覆うものとして説明したが、本発明はこれに限定されるものではなく、例えば、胸部プロテクタ３の上下方向の大きさを縮小し、胸部のみを覆うものとしても良く、或いは、胸部プロテクタ３の上下方向の大きさを拡大し、さらに保護範囲を広げても良い。
【００３５】
また、受け部４２Ｌ、４２Ｒが相互に前方からの押圧に対抗する制止部として機能するものとして説明したが、制止部は、これに限らず相互に前方からの押圧に対抗するものであれば良い。例えば、左嵌合部３７Ｌに右嵌合部３７Ｒ側に延びる突起を設け、この突起が嵌合する鞘状の嵌合穴を右嵌合部３７Ｒに設けて左右嵌合部３７Ｌ、３７Ｒを嵌合する構成としても良い。この構成によれば、前方からの押圧に対し、上記嵌合穴と上記突起とが相互に支持し合い、制止部として機能するため、前方からの押圧に対抗できる。
さらにまた、胸部プロテクタ３は、左側シェル３６Ｌと右側シェル３６Ｒとに分離されるものとして説明したが、本発明はこれに限定されない。例えば、胸部プロテクタ３を三分割し、左側シェル３６Ｌと右側シェル３６Ｒとの間に三つ目の中間部材を設けて、中間部材の一側と左側シェル３６Ｌ、および中間部材の他側と右側シェル３６Ｒとを嵌合するようにしても良い。この場合、左右側シェル３６Ｌ、３６Ｒを分離する際には、上記中間部材が、左右側シェル３６Ｌ、３６Ｒのいずれか一方に、その一部として残るように嵌合させておけば良い。その他の保護用着用体１の細部構成についても任意に変更可能であることは勿論である。
【００３６】
［第２の実施の形態］
この第２の実施の形態において、上記第１の実施の形態と同様に構成される部分については、同符号を付して説明を省略する。
第２の実施の形態では、着用体２には、上記第１の実施の形態における胸部プロテクタ３に代えて、胸部プロテクタ１３０が取り付けられる。また、胸部プロテクタ１３０は、左右側シェル１３６Ｌ、１３６Ｒを備えて構成されている。第２の実施の形態で説明する胸部プロテクタ１３０では、左右側シェル１３６Ｌ、１３６Ｒが有する左右嵌合部１３７Ｌ、１３７Ｒの構成が、第１の実施の形態の左右嵌合部３７Ｌ、３７Ｒと異なっている。
【００３７】
図８は、胸部プロテクタ１３０を前面側から見た斜視図である。図９は、左右嵌合部１３７Ｌ、１３７Ｒが嵌合した状態を示す正面図である。
左右側シェル１３６Ｌ、１３６Ｒは、胸部プロテクタ１３０の前後方向において、外側突出部１４１と複数の内側突出部１５１とが前後に重なり合って嵌合されている。すなわち、左右嵌合部１３７Ｌ、１３７Ｒは、前後に重なり合う外側突出部１４１と内側突出部１５１とをそれぞれ備えている。ここでは、左嵌合部１３７Ｌに外側突出部１４１を、右嵌合部１３７Ｒには内側突出部１５１を備える。
【００３８】
図１０は、左右側シェル１３６Ｌ、１３６Ｒを分離した状態を示す斜視図である。
胸部プロテクタ１３０は、その幅方向の中央で左右に分割された左側シェル１３６Ｌと右側シェル１３６Ｒとを備えて構成されている。左右側シェル１３６Ｌ、１３６Ｒは、それぞれが有する左嵌合部１３７Ｌと右嵌合部１３７Ｒとが互いに嵌合することで、結合及び分離が可能に構成されている。この左右嵌合部１３７Ｌ、１３７Ｒは、左右側シェル１３６Ｌ、１３６Ｒの分割位置に沿って形成されている。
【００３９】
左嵌合部１３７Ｌに形成された外側突出部１４１は、相手側である右側シェル１３６Ｒの前面に形成された受け部（制止部）１４２へ延びている。外側突出部１４１は、上下方向に延在する左嵌合部１３７Ｌの全体に亘って形成されている。
右嵌合部１３７Ｒに形成された内側突出部１５１Ｒは、相手側である左側シェル１３６Ｌの側へ延びている。内側突出部１５１は、上下方向に延在する右嵌合部１３７Ｒにおいて、略等間隔をあけて複数配列されている。
【００４０】
図１１は、図９において左右側シェル１３６Ｌ、１３６ＲをＣ−Ｃ線で切断した断面図である。
図９及び図１１に示すように、詳細には、外側突出部１４１が、胸部プロテクタ１３０の前側から受け部１４２に嵌合し、内側突出部１５１が、胸部プロテクタ１３０の後面側から内側突出部１５１の側に延在する延在部（制止部）１４６に嵌合している。この延在部１４６は、外側突出部１４１の基端部に位置する基部１４５から内側突出部１５１の内側に向けて延在している。また、図９に示すように延在部１４６は、略等間隔をあけて複数配列された内側突出部１５１に対応して、略等間隔をあけて設けられている。すなわち、延在部１４６は、内側突出部１５１が入り込む窪み１４７を構成している。
【００４１】
また、図１１に示すように、外側突出部１４１は、左側シェル１３６Ｌの表面上から一段突出している。外側突出部１４１の先端には、受け部１４２の前面に形成された凹部１４３に係合する突起１４４が形成されている。これら凹部１４３及び突起１４４は、左右嵌合部１３７Ｌ、１３７Ｒの長手方向に沿って連続して形成されている。このように、突起１４４が凹部１４３に係合しているため、左右側シェル１３６Ｌ、１３６Ｒを左右方向に分離しようとする力に抗することができ、胸部プロテクタ１３０が意図せず分離されることを防止できる。
【００４２】
ここで、胸部プロテクタ１３０に外部からの力が働いた場合における胸部プロテクタ１３０の機能について説明する。
胸部プロテクタ１３０が着用体２を介して着用者に着用された状態において、図１１に矢印Ｈで示すように胸部プロテクタ１３０の前方から力が働いた場合、胸部プロテクタ１３０には、左右嵌合部１３７Ｌ、１３７Ｒを中心として胸部プロテクタ１３０の左右端を前方方向に折り曲げようとする力が作用する。この場合、外側突出部１４１が受け部１４２に当接し、内側突出部１５１が延在部１４６に当接し、左右側シェル１３６Ｌ、１３６Ｒが互いに支持し合うため、胸部プロテクタ１３０は前方からの力に対して対抗することができる。すなわち、受け部１４２及び延在部１４６は、相互に前方からの押圧に対抗する制止部として機能している。これにより、胸部プロテクタ１３０は、左右嵌合部１３７Ｌ、１３７Ｒで左右に分離可能であるとともに、前方からの押圧に対抗可能な高い保護性能が得られる構成を実現している。また、胸部プロテクタ１３０は、左右に分離可能でありながら、左右嵌合部１３７Ｌ、１３７Ｒにおいて切れ目無く連結されるため、広い範囲を保護でき、保護性能が高い。
【００４３】
さらに、図１１に矢印Ｉで示すように胸部プロテクタ１３０の後方から力が働いた場合、胸部プロテクタ１３０には、左右嵌合部１３７Ｌ、１３７Ｒを中心として胸部プロテクタ１３０の左右端を後方向に折り曲げようとする力が作用する。この場合、外側突出部１４１は受け部１４２を支持せず、受け部１４２から離れ、内側突出部１５１は延在部１４６から外れていくこととなる。これにより、左右側シェル１３６Ｌ、１３６Ｒの嵌合は解除され、胸部プロテクタ１３０を左右に分離できる。従って、着用者が胸部プロテクタ１３０を分離したい場合には、胸部プロテクタ１３０を後方向に折り曲げれば良い。
【００４４】
以上説明したように、本発明を適用した第２の実施の形態によれば、外側突出部１４１が内側突出部１５１の受け部１４２を支持し、内側突出部１５１が外側突出部１４１の延在部１４６を支持し、外側突出部１４１と内側突出部１５１とが互いに支持し合うため、前方からの押圧を受け止めることができる。一方、背面からの押圧に対しては、外側突出部１４１は受け部１４２から外れ、内側突出部１５１は延在部１４６から外れるため、胸部プロテクタ１３０を背面から押圧することにより嵌合を解除し、容易に涼を取ることができる。
【００４５】
なお、上記第１及び第２の実施の形態は本発明を適用した一態様を示すものであって、本発明は上記実施の形態に限定されない。
例えば、上記第１の実施形態では、突出部４１Ｌ、４１Ｒや受部４２Ｌ、４２Ｒを中空としたが、剛性と軽量化の調整等により、中空を有さないものや、中空の形状や場所が異なるものであっても良い。上記第２の実施の形態では、左嵌合部１３７Ｌが外側突出部１４１を有し、右嵌合部１３７Ｒが、内側突出部１５１を有するものとして説明したが、これに限らず、左右いずれか一側が外側突出部１４１を有し、他側が内側突出部１５１を有すれば良く、左嵌合部１３７Ｌが内側突出部１５１を有し、右嵌合部１３７Ｒが、外側突出部１４１を有するようにしても良い。また、第２の実施の形態の嵌合部を有して、第１の実施のように左右で複数の突出部を設け、外側突出部と内側突出部とが左右で交互に入れ代わる配列で嵌合されるものであっても良い。
その他の細部構成についても任意に変更可能であることは勿論である。
【図面の簡単な説明】
【００４６】
【図１】本発明の第１の実施の形態に係る保護用着用体を着用状態で示す斜視図である。
【図２】胸部プロテクタを前面側から見た斜視図である。
【図３】胸部プロテクタを後面側から見た斜視図である。
【図４】図２において左側シェルをＡ−Ａ線で切断した断面図である。
【図５】左右嵌合部が嵌合した状態を示す正面図である。
【図６】左右側シェルを分離した状態を示す斜視図である。
【図７】図５において左右側シェルをＢ−Ｂ線で切断した断面図である。
【図８】第２の実施の形態に係る胸部プロテクタを前面側から見た斜視図である。
【図９】左右嵌合部が嵌合した状態を示す正面図である。
【図１０】左右側シェルを分離した状態を示す斜視図である。
【図１１】図９において左右側シェルをＣ−Ｃ線で切断した断面図である。
【符号の説明】
【００４７】
１  保護用着用体
２  着用体（身体着用体）
３、１３０  胸部プロテクタ
７  前身頃
１１  開閉部
１２  スライドファスナー
１７  雄ホック
３６Ｌ  左側シェル
３６Ｒ  右側シェル
３７Ｌ  左嵌合部
３７Ｒ  右嵌合部
３８  雌ホック
４１Ｌ、４１Ｒ  突出部
４２Ｌ、４２Ｒ  受け部（制止部）
４３、１４３  凹部
４４、１４４  突起
１３６Ｌ  左側シェル
１３６Ｒ  右側シェル
１３７Ｌ  左嵌合部
１３７Ｒ  右嵌合部
１４１  外側突出部
１４２  受け部（制止部）
１４６  延在部（制止部）
１５１  内側突出部
【図１】
2010053463.tif 000003
【図２】
2010053463.tif 000004
【図３】
2010053463.tif 000005
【図４】
2010053463.tif 000006
【図５】
2010053463.tif 000007
【図６】
2010053463.tif 000008
【図７】
2010053463.tif 000009
【図８】
2010053463.tif 000010
【図９】
2010053463.tif 000011
【図１０】
2010053463.tif 000012
【図１１】
2010053463.tif 000013